(57)【要約】  切り替えスイッチを用いてモーション検出のモードに切り替える場合には、切り替えスイッチ（３１）を押してモーション検出モードにする。このモードにおいては、操作対象領域で手（２）を動かすことにより、モーション検出を行う。モーション検出モードから通常モードに切り替えるときには、手（２）を操作対象領域から離したり、切り替えスイッチ（３１）を再度押す。また、手（２）が容量センサから離れている場合には、モーション入力操作を行っているとし、手（２）が容量センサに近づいている場合には、モーション入力操作を行っていないとして、モーション検出のモードを切り替える。
2008093682.tif 000002
【特許請求の範囲】
【請求項１】
２以上の方向から操作可能な操作対象領域の方向検出位置にそれぞれ設けられ、検出電極と駆動電極との間で静電容量を形成する２以上の検出電極／駆動電極対と、前記２以上の検出電極／駆動電極対でそれぞれ求められた静電容量の変化量から前記操作対象領域における被検出体のモーション検出を行うモーション検出手段と、前記モーション検出のモードに切り替える切り替え手段と、を具備することを特徴とする静電容量式モーション検出装置。
【請求項２】
前記切り替え手段が容量センサであり、前記容量センサで検出する静電容量が所定の閾値未満であるときに前記モーション検出のモードに切り替えることを特徴とする請求項１記載の静電容量式モーション検出装置。
【請求項３】
前記容量センサが、位置入力装置としても動作することを特徴とする請求項２記載の静電容量式モーション検出装置。
【請求項４】
前記切り替え手段が切り替えスイッチであり、前記切り替えスイッチを操作した後又は前記切り替えスイッチを操作している間に前記モーション検出のモードに切り替えることを特徴とする請求項１記載の静電容量式モーション検出装置。
【請求項５】
請求項１記載の静電容量式モーション検出装置を搭載した装置本体と、前記装置本体に内蔵されており、前記静電容量式モーション検出装置による前記被検出体のモーション検出に基づいて前記装置本体の操作を行う制御手段と、を具備することを特徴とする入力装置。
【発明の詳細な説明】
【技術分野】
【０００１】
本発明は、静電容量により操作対象領域における被検出体のモーション検出を行う静電容量式モーション検出装置及びそれを用いた入力装置に関する。
【背景技術】
【０００２】
人体などの被検出体のモーション検出を行う方法としては、例えば少なくとも一つのカメラと、画像処理部とを用い、カメラによる撮像により人の動きを検出し、その動きをＰＣ（パーソナルコンピュータ）内の制御部に出力する方法がある（例えば、特許文献１）。また、加速度センサなどを機器に内蔵し、機器を特定方向に動かすことによって、その動きをＰＣ内の制御部に出力する方法もある。
【特許文献１】特開２００１−８７５４９号公報
【発明の開示】
【０００３】
しかしながら、カメラと画像処理を用いた方法では、ハードウェアやソフトウェアのコストが高くなると共に、カメラ映像を取り込むための特定の空間をあらかじめ準備する必要があり、使用場所が限られてしまう。また、加速度センサを利用した方法では、ハードウェアを直接動かす必要があり、ハードウェア本体を動かす場合には、機器に振動による影響を及ぼす恐れがある。また、加速度センサ内蔵の小型入力装置を使用する場合でも、小型入力装置を手にとって動作させる必要がある。
【０００４】
本発明はかかる点に鑑みてなされたものであり、使用環境に制限が少なく、機器に振動による影響を及ぼすこともなく、また特定の入力装置を持つ必要もない、簡単な構成の静電容量式モーション検出装置及びそれを用いた入力装置を提供することを目的とする。
【０００５】
本発明の静電容量式モーション検出装置は、２以上の方向から操作可能な操作対象領域の方向検出位置にそれぞれ設けられ、検出電極と駆動電極との間で静電容量を形成する２以上の検出電極／駆動電極対と、前記２以上の検出電極／駆動電極対でそれぞれ求められた静電容量の変化量から前記操作対象領域における被検出体のモーション検出を行うモーション検出手段と、前記モーション検出のモードに切り替える切り替え手段と、を具備することを特徴とする。
【０００６】
この構成によれば、２以上の検出電極／駆動電極対でそれぞれ求められた静電容量から操作対象領域における被検出体のモーション検出を行うので、使用環境に制限が少なく、機器に振動による影響を及ぼす恐れもなく、また特定の入力装置も持つ必要もない簡単な構成の静電容量式モーション検出装置を実現することができる。
【０００７】
本発明の静電容量式モーション検出装置においては、前記切り替え手段が容量センサであり、前記容量センサで検出する静電容量の変化量が所定の閾値未満であるときに前記モーション検出のモードに切り替えることが好ましい。この場合において、前記容量センサが、位置入力装置としても動作することが好ましい。
【０００８】
本発明の静電容量式モーション検出装置においては、前記切り替え手段が切り替えスイッチであり、前記切り替えスイッチを操作した後又は操作中に前記モーション検出のモードに切り替えることが好ましい。
【０００９】
本発明の入力装置は、上記静電容量式モーション検出装置を搭載した装置本体と、前記装置本体に内蔵されており、前記静電容量式モーション検出装置による前記被検出体のモーション検出に基づいて前記装置本体の操作を行う制御手段と、を具備することを特徴とする。
【００１０】
本発明によれば、２以上の方向から操作可能な操作対象領域の方向検出位置にそれぞれ設けられ、検出電極と駆動電極との間で静電容量を形成する２以上の検出電極／駆動電極対と、前記２以上の検出電極／駆動電極対でそれぞれ求められた静電容量の変化量から前記操作対象領域における被検出体のモーション検出を行うモーション検出手段と、前記モーション検出のモードに切り替える切り替え手段と、を具備するので、使用環境に制限が少なく、機器に振動による影響を及ぼす恐れもなく、また特定の入力装置も持つ必要もない簡単な構成の静電容量式モーション検出装置及びそれを用いた入力装置を提供することができる。
【図面の簡単な説明】
【００１１】
【図１】本発明の実施の形態に係る静電容量式モーション検出装置を用いた入力装置を示す図である。
【図２】（ａ），（ｂ）は、本発明の実施の形態に係る静電容量式モーション検出の原理を説明するための図である。
【図３】本発明の実施の形態に係る静電容量式モーション検出の原理を説明するための図である。
【図４】（ａ），（ｂ）は、本発明の実施の形態に係る静電容量式モーション検出におけるモード切り替えを説明するための図である。
【図５】（ａ）〜（ｄ）は、本発明の実施の形態に係る静電容量式モーション検出におけるモード切り替えを説明するための図である。
【図６】（ａ）〜（ｃ）は、本発明の実施の形態に係る静電容量式モーション検出装置を用いた入力装置の他の例を示す図である。
【図７】（ａ），（ｂ）は、本発明の実施の形態に係る静電容量式モーション検出におけるモード切り替えを説明するための図である。
【図８】（ａ）〜（ｄ）は、本発明の実施の形態に係る静電容量式モーション検出におけるモード切り替えを説明するための図である。
【図９】（ａ），（ｂ）は、本発明の実施の形態に係る静電容量式モーション検出装置を用いた入力装置の他の例を示す図である。
【発明を実施するための最良の形態】
【００１２】
以下、本発明の実施の形態について添付図面を参照して詳細に説明する。
図１は、本発明に係る入力装置であるノート型パーソナルコンピュータ（ノートＰＣ）を示す図である。ノートＰＣ１は、モニタ１３の周囲に形成された電極１２ａ，１２ｂ，１２ｃ，１２ｄと、キーボード１５を挟んで電極１２ｄの反対側に形成された電極１２ｅと、グライドポイント１４を挟んで電極１２ｅの反対側に形成された電極１２ｆとを有する。これらの電極は、２以上の方向から操作可能な操作対象領域の方向検出位置にそれぞれ設けられており、検出電極と駆動電極との間で静電容量を形成する２以上の検出電極／駆動電極対を構成する。なお、ここでは、被検出体である手２の検出基準となる操作対象領域をモニタ１３の前方の領域とし、モニタ領域の左右方向（破線矢印ａ）をＸ軸とし、モニタ領域の上下方向（破線矢印ｂ）をＹ軸とし、モニタ領域の手前−奥行き方向（破線矢印ｃ）をＺ軸とする。【００１３】
静電容量を用いて被検出体、例えば人体の位置を検出する場合には、図２（ａ）に示すように、駆動電極２１を中央に配置し、その両側にそれぞれ検出電極２２ａ，２２ｂを配置した構成を採る。これにより、駆動電極２１と検出電極２２ａとの間に静電容量Ｃ1が形成され、駆動電極２１と検出電極２２ａとの間に静電容量Ｃ2が形成される。この静電容量Ｃ1，Ｃ2の差分をとることにより手２の位置を検出することができる。【００１４】
ノートＰＣ１のようにモニタ１３の中央に電極を配置することが難しい場合には、図２（ｂ）に示すような電極配置にしても手２の位置を検出することができる。すなわち、モニタ１３の上下に設けられた電極１２ａ，１２ｄを駆動電極とし、モニタ１３の左右に設けられた電極１２ｂ，１２ｃを検出電極とすることにより、手２の位置を検出することができる。なお、図２（ｂ）は、手２がＸ軸方向に移動する場合の手２の位置を検出する場合について示している。【００１５】
本実施の形態においては、駆動電極１２ａ，１２ｄを上下に分離してそれぞれ設けており、駆動電極１２ｂ，１２ｃを左右に設けているが、操作対象領域における被検出体を検出可能な位置に検出電極と駆動電極とが配置されていれば（検出電極／駆動電極対があれば）、電極の数や配置位置について特に制限はない。【００１６】
これらの検出電極／駆動電極対でそれぞれ求められた静電容量から操作対象領域における手２のモーション検出を行うことができる。検出電極１２ｂ，１２ｃと駆動電極１２ａ，１２ｄとの間には、常に静電容量が形成されている。ここでは、検出電極１２ｂと駆動電極１２ａ，１２ｄとの間に静電容量Ｃx1が形成されており、検出電極１２ｃと駆動電極１２ａ，１２ｄとの間に静電容量Ｃx2が形成されている。このような構成において、手２がＸ軸方向（左右方向）のいずれかの方向に動くと、手２との間の静電容量により、検出電極と駆動電極との間の静電容量に変化が生じる。例えば、手２が右側に動くと、静電容量Ｃx1が増加して、静電容量Ｃx2が減少する。したがって、これらの静電容量値の差分（Ｃx1−Ｃx2）をとることにより、図３に示すように、Ｘ軸方向（左右方向）の手２の動き（モーション）を検出することが可能となる。【００１７】
また、モニタ１３の上下の電極１２ａ，１２ｄを検出電極とし、モニタ１３の左右の電極１２ｂ，１２ｃを駆動電極として、上記と同様の検出方法を用いることにより、Ｙ軸方向（上下方向）の手２の動き（モーション）を検出することが可能となる。さらに、モニタ１３の周囲の電極１２ａ，１２ｂ，１２ｃ，１２ｄのいずれかとキーボード１５やグライドポイント１４付近の電極１２ｅ，１２ｆとを検出電極とし、決定した検出電極間の中央部付近の電極を駆動電極とすることにより、例えば、電極１２ａと電極１２ｆを検出電極とし、電極１２ｄを駆動電極とすることにより、Ｚ軸方向（手前−奥行き方向）の手２の動き（モーション）を検出することが可能となる。このようにして、３軸方向の手２の動き（モーション）を検出することが可能となる。【００１８】
このように、入力装置であるノートＰＣ１は、上記のような検出電極／駆動電極対と、検出電極／駆動電極対でそれぞれ求められた静電容量の変化量から操作対象領域における被検出体のモーション検出を行うモーション検出回路と、を備えた装置本体１１と、装置本体１１に内蔵されており、モーション検出に基づいて装置本体１１の操作を行う制御部と、で構成されている。【００１９】
本発明に係る静電容量式モーション検出装置を搭載したノートＰＣ１においては、キーボード操作中は手が静電容量式モーション検出装置に接近して、キーボードに対する入力の動作がモーションとして検出されてしまうことが想定される。そこで、本発明においては、キーボード入力操作とモーション入力操作を同時に行うことは稀であることを前提として、ユーザ（操作者）が意図してモーション入力操作を行うモードと、モーション入力操作以外の入力操作（ここではキーボード入力操作）を行うモード（通常モード）とを切り替える構成を採る。すなわち、静電容量式モーション検出装置がモーション検出のモードに切り替える切り替え部を備える。【００２０】
切り替え部については、例えば、キーボード入力操作検知用として、別途の容量センサ、あるいは既存の容量センサを流用したキーボード入力検知処理を設けて、容量センサで検出する静電容量が所定の閾値未満であるときにモーション検出のモードに切り替えるようにしても良く、切り替えスイッチを設けて、切り替えスイッチを操作した後又は操作中にモーション検出のモードに切り替えるようにしても良い。【００２１】
容量センサを用いてモーション検出（モーション入力操作）のモードに切り替える場合には、図４（ａ），（ｂ）に示すようにして切り替えを行う。この場合、電極１２ｅ，１２ｆが容量センサを構成する。図４（ａ）に示すように、手２が容量センサから離れている場合には、モーション入力操作を行っているとし、図４（ｂ）に示すように、手２が容量センサに近づいている場合には、モーション入力操作を行っていない（キーボード入力操作を行っている）として、モーション検出（モーション入力操作）のモードを切り替える。この場合においては、容量センサと手２との間の静電容量Ｃhが閾値未満であると、手２が容量センサから離れているとしてモーション検出モードに切り替わり、容量センサと手２との間の静電容量Ｃhが閾値以上であると、手２が容量センサに近づいているとして通常モードに切り替わる。なお、グライドポイント１４も容量センサであり、通常の位置入力装置としての用途の他にモーション検出モードへの切り替えに用いることも出来る。位置入力としての操作を検知する場合よりも小さい容量を閾値として、キーボード近傍に手２が存在するかどうかを検知することにより、既存の位置入力装置を流量して容量式の切り替えスイッチを設けることが出来る。これにより、ノートＰＣなどにおいては、別途センサを設ける必要がなくなり、省スペース化、低コスト化を図ることができる。【００２２】
切り替えスイッチを用いてモーション検出（モーション入力操作）のモードに切り替える場合には、図５（ａ）〜（ｄ）に示すようにして切り替えを行う。この場合、まず図５（ａ）に示すように、切り替えスイッチ３１を押してモーション検出モードにする。このモードにおいては、図５（ｂ）に示すように、操作対象領域で手２を動かすことにより、上述したようにしてモーション検出を行う。モーション検出モードから通常モードに切り替えるときには、図５（ｃ）に示すように、手２を操作対象領域から離したり、図５（ｄ）に示すように、切り替えスイッチ３１を再度押す。【００２３】
なお、切り替えスイッチ３１の位置、大きさ、形状は図５に示すものに限定されない。例えば、キーボードの特定のキー操作やグライドポイントでの特定の操作によりモーション検出モードと通常モードとの間の切り替えを行うようにしても良い。また、切り替えスイッチと容量センサを組み合わせて動作をすることも出来る。例えば、切り替えスイッチでモーション検出モードで動作をしている際に、片手をキーボード近傍に置いてもう一方の手２でモーション入力を行う場合に、容量センサと手２の間の静電容量Ｃhが閾値以上である場合にはＺ軸方向の検知を行わず２次元でのみモーション検知を行うことも可能である。この方法により、キーボード近傍にある手２のかすかな動きでもＺ軸方向の容量変化が過大になって他の軸方向のモーションが検知されなくなることを防止できる。【００２４】
上記説明においては、被検出体である手２の検出基準となる操作対象領域をモニタ１３の前方の領域としているが、図６（ａ）に示すように、被検出体である手２の検出基準となる操作対象領域をキーボード１５の面の上方の領域とし、キーボード領域の左右方向をＸ軸とし、キーボード領域の上下方向をＹ軸とし、キーボード領域の手前−奥行き方向をＺ軸としても良い。この場合には、キーボード１５を有する面に電極３２を設けて検出電極及び駆動電極を構成する。【００２５】
また、図６（ｂ）に示すように、モニタ１３内に電極３３設けて検出電極及び駆動電極を構成するようにしても良い。あるいは、複数の電極で構成された電極ユニット（複数の検出電極／駆動電極対）３４を装置本体１１の他の部分に設けても良い。例えば、図６（ｃ）に示すように、電極ユニット３４をグライドポイント１４に並べて設けても良い。このようにすることにより、操作者の手が通常位置する領域でモーション検出を行うことができ、操作者が楽に、しかも少ない手の動きでモーション検出を行うことができる。【００２６】
図６（ｃ）に示すような小型の電極ユニット３４において、Ｘ軸方向（左右方向）のモーション検出は、検出電極を電極３４ｄ，３４ｆとし、駆動電極を電極３４ｅとすることにより行い、Ｚ軸方向（手前−奥行き方向）のモーション検出は、検出電極を電極３４ａ，３４ｃとし、駆動電極を電極３４ｂとすることにより行う。なお、モーション検出の原理については上述した通りである（図２（ａ））。【００２７】
図６（ｃ）に示すような小型の電極ユニット３４を用いる場合においても容量センサを設けて、容量センサで検出する静電容量が所定の閾値未満であるときにモーション検出のモードに切り替えるようにしても良く、切り替えスイッチを設けて、切り替えスイッチを操作した後又は操作中にモーション検出のモードに切り替えるようにしても良い。【００２８】
容量センサを用いてモーション検出（モーション入力操作）のモードに切り替える場合には、図７（ａ），（ｂ）に示すようにして切り替えを行う。この場合、電極ユニットの２つの電極が容量センサを構成する。図７（ａ）に示すように、手２が容量センサから離れている場合には、モーション入力操作を行っているとし、図７（ｂ）に示すように、手２が容量センサに近づいている場合には、モーション入力操作を行っていない（キーボード入力操作を行っている）として、モーション検出（モーション入力操作）のモードを切り替える。この場合においては、容量センサと手２との間の静電容量Ｃhが閾値未満であると、手２が容量センサから離れているとしてモーション検出モードに切り替わり、容量センサと手２との間の静電容量Ｃhが閾値以上であると、手２が容量センサに近づいているとして通常モードに切り替わる。【００２９】
また、切り替えスイッチを用いてモーション検出（モーション入力操作）のモードに切り替える場合には、図８（ａ）〜（ｄ）に示すようにして切り替えを行う。この場合、まず図８（ａ）に示すように、切り替えスイッチ３１を押してモーション検出モードにする。このモードにおいては、図８（ｂ）に示すように、操作対象領域で手２を動かすことにより、上述したようにしてモーション検出を行う。モーション検出モードから通常モードに切り替えるときには、図８（ｃ）に示すように、手２を操作対象領域から離したり、図８（ｄ）に示すように、切り替えスイッチ３１を再度押す。図８に示すように、電極ユニット３４と切り替えスイッチ３１とを離しておくことにより（両側にそれぞれ設けることにより）、一方の手（ここでは左手）でモード切り替えを行って、他方の手（ここでは右手）でモーション入力操作を行うことができる。また、電極ユニット３４と切り替えスイッチ３１とを離しておくことにより、切り替えスイッチ３１を操作する手の静電容量がモーション検出に影響することを防止できる。【００３０】
なお、切り替えスイッチ３１の位置、大きさ、形状は図８に示すものに限定されない。例えば、キーボードの特定のキー操作やグライドポイントでの特定の操作によりモーション検出モードと通常モードとの間の切り替えを行うようにしても良い。【００３１】
このような電極ユニット３４は、図９（ａ）に示すように、グライドポイント１４の両側に設けても良く、図９（ｂ）に示すように、電極数を少なくすることもできる。図９（ｂ）に示す電極ユニット３４の場合においては、図２（ｂ）の場合と同様の原理でモーション検出を行うことができる。【００３２】
このように、本実施の形態によれば、２以上の検出電極／駆動電極対でそれぞれ求められた静電容量から操作対象領域における被検出体のモーション検出を行うので、使用環境に制限が少なく、機器に振動による影響を及ぼす恐れもなく、また特定の入力装置を持つ必要もない、簡単な構成の静電容量式モーション検出装置を実現することができる。このような静電容量式モーション検出装置を搭載した入力装置においては、当該静電容量式モーション検出によりアプリケーションのページの階層を変える、ページをめくる、画面のスクロールを行う、特定の部位の操作を行う、などの種々の操作を行うことが可能である。【００３３】
本発明は上記実施の形態に限定されず、種々変更して実施することが可能である。上記実施の形態における、左右、上下、手前−奥行きの別、部材の数値、位置、大きさ、形状については適宜変更することが可能である。また、装置本体が容量センサで構成されているので、人間の接近を検知する機能として利用することも可能である。例えば、この静電容量式モーション検出装置を搭載した装置に人間が接近しているかどうかを判別し、人間が遠ざかっている場合には、自動的に省電力モードに移行し、人間が装置に接近した場合に、自動的に省電力モードを解除するようにしても良い。その他、本発明の目的の範囲を逸脱しない限りにおいて適宜変更することが可能である。
【図１】
2008093682.tif 000003
【図２】
2008093682.tif 000004
【図３】
2008093682.tif 000005
【図４】
2008093682.tif 000006
【図５】
2008093682.tif 000007
【図６】
2008093682.tif 000008
【図７】
2008093682.tif 000009
【図８】
2008093682.tif 000010
【図９】
2008093682.tif 000011
【手続補正書】
【提出日】平成21年7月21日(2009.7.21)
【手続補正１】
【補正対象書類名】特許請求の範囲
【補正対象項目名】全文
【補正方法】変更
【補正の内容】
【特許請求の範囲】
【請求項１】
検出電極と駆動電極との間で静電容量を形成する２以上の検出電極／駆動電極対と、前記２以上の検出電極／駆動電極対でそれぞれ求められた静電容量の変化量から前記操作対象領域における被検出体の２軸以上のモーション検出を非接触で行うモーション検出手段と、前記モーション検出のモードに切り替える切り替え手段と、を具備することを特徴とする静電容量式モーション検出装置。
【請求項２】
前記切り替え手段が容量センサであり、前記容量センサで検出する静電容量が所定の閾値未満であるときに前記モーション検出のモードに切り替えることを特徴とする請求項１記載の静電容量式モーション検出装置。
【請求項３】
前記切り替え手段が容量センサであり、前記容量センサで検出する静電容量が所定の閾値以上であるときに前記モーション検出を行わないモードに切り替えることを特徴とする請求項１記載の静電容量式モーション検出装置。
【請求項４】
被検出体によって操作される入力手段をさらに備え、前記容量センサは前記入力手段の近傍に配置されていることを特徴とする請求項２または３記載の静電容量式モーション検出装置。
【請求項５】
前記閾値が、前記入力手段の操作中には前記容量センサで検出する静電容量が前記閾値を越えるよう設定されていることを特徴とする請求項４記載の静電容量式モーション検出装置。
【請求項６】
前記入力手段が静電容量式の位置入力装置であり、前記容量センサとしても動作することを特徴とする請求項４又は請求項５記載の静電容量式モーション検出装置。
【請求項７】
前記入力手段がキーボードであり、前記容量センサの電極のうち少なくとも一つが、キーボードの手前側に配置されていることを特徴とする請求項４から請求項６のいずれかに記載の静電容量式モーション検出装置。
【請求項８】
前記検出電極／駆動電極対のうちの少なくとも一つの電極が、一軸のモーション検出時には駆動電極として、他の一軸のモーション検出時には検出電極とされることを特徴とする請求項１記載の静電容量式モーション検出装置。
【請求項９】
前記切り替え手段が切り替えスイッチであり、前記切り替えスイッチを操作した後又は前記切り替えスイッチを操作している間に前記モーション検出のモードに切り替えることを特徴とする請求項１から請求項８のいずれかに記載の静電容量式モーション検出装置。
【請求項１０】
請求項１から請求項９のいずれかに記載の静電容量式モーション検出装置を搭載した装置本体と、前記装置本体に内蔵されており、前記静電容量式モーション検出装置による前記被検出体のモーション検出に基づいて前記装置本体の操作を行う制御手段と、を具備することを特徴とする入力装置。
【手続補正２】
【補正対象書類名】明細書
【補正対象項目名】０００５
【補正方法】変更
【補正の内容】
【０００５】
本発明の静電容量式モーション検出装置は、検出電極と駆動電極との間で静電容量を形成する２以上の検出電極／駆動電極対と、前記２以上の検出電極／駆動電極対でそれぞれ求められた静電容量の変化量から前記操作対象領域における被検出体の２軸以上のモーション検出を非接触で行うモーション検出手段と、前記モーション検出のモードに切り替える切り替え手段と、を具備することを特徴とする。
【手続補正３】
【補正対象書類名】明細書
【補正対象項目名】０００７
【補正方法】変更
【補正の内容】
【０００７】
本発明の静電容量式モーション検出装置においては、前記切り替え手段が容量センサであり、前記容量センサで検出する静電容量の変化量が所定の閾値未満であるときに前記モーション検出のモードに切り替えることが好ましい。また、本発明の静電容量式モーション検出装置においては、前記切り替え手段が容量センサであり、前記容量センサで検出する静電容量が所定の閾値以上であるときに前記モーション検出を行わないモードに切り替えることが好ましい。この場合において、被検出体によって操作される入力手段をさらに備え、前記容量センサは前記入力手段の近傍に配置されていることが好ましい。また、前記閾値が、前記入力手段の操作中には前記容量センサで検出する静電容量が前記閾値を越えるよう設定されていることが好ましい。この場合において、前記入力手段が静電容量式の位置入力装置であり、前記容量センサとしても動作することが好ましい。また、本発明の静電容量式モーション検出装置においては、前記入力手段がキーボードであり、前記容量センサの電極のうち少なくとも一つが、キーボードの手前側に配置されていることが好ましい。また、本発明の静電容量式モーション検出装置においては、前記検出電極／駆動電極対のうちの少なくとも一つの電極が、一軸のモーション検出時には駆動電極として、他の一軸のモーション検出時には検出電極とされることが好ましい。
【手続補正４】
【補正対象書類名】明細書
【補正対象項目名】００１０
【補正方法】変更
【補正の内容】
【００１０】
本発明によれば、検出電極と駆動電極との間で静電容量を形成する２以上の検出電極／駆動電極対と、前記２以上の検出電極／駆動電極対でそれぞれ求められた静電容量の変化量から前記操作対象領域における被検出体の２軸以上のモーション検出を非接触で行うモーション検出手段と、前記モーション検出のモードに切り替える切り替え手段と、を具備するので、使用環境に制限が少なく、機器に振動による影響を及ぼす恐れもなく、また特定の入力装置も持つ必要もない簡単な構成の静電容量式モーション検出装置及びそれを用いた入力装置を提供することができる。
【国際調査報告】
2008093682.tif 000012
2008093682.tif 000013